(57)【特許請求の範囲】
【請求項１】
第一の固定接触子、第二の固定接触子、および可動接触子並びに消弧装置を備え、前記消弧装置は、保持板と、該保持板に隙間を介して積層される複数枚のグリッド板とを有し、該消弧装置が、前記二つの固定接触子および可動接触子それぞれに臨んで配置されて遮断部を構成し、該遮断部が絶縁材からなる筐体に収納され、前記可動接触子の回動動作によって電源側の回路と負荷側の回路を接続あるいは遮断する回路遮断器において、
前記第一の固定接触子は、電源端子に接続される端子部と、該端子部の電流路上に設けられる固定接点とを有し、前記第二の固定接触子は、負荷側に接続される端子部と、該端子部の電流路上に設けられる固定接点とを有し、前記可動接触子は、前記二つの固定接触子の固定接点を橋絡するように回動される橋絡部を有する２接点対の回路遮断器であって、
前記第一の固定接触子は、その端子部の電流路が、前記可動接触子が閉成状態から回動することによって前記可動接点が前記固定接点から開離する方向を上方とするときに、開極時に生じる前記２接点対相互の電磁反発力の差異を抑制するように、前記可動接触子の閉成時の固定接点の装着位置よりも上方に設けられており、
前記第一の固定接触子は、その端子部の電流路が、前記電源端子から垂直上方に張り出した第一垂直張出部と、該第一垂直張出部に連続して形成されて前記電源端子の高さよりも高い高さで水平方向に張り出した水平張出部と、該水平張出部に連続して形成されて垂直下方向に向けて張り出した第二垂直張出部とを前記第二の固定接触子とは反対の側に有し、これら第一垂直張出部、水平張出部および第二垂直張出部によって、前記可動接触子の回動軸方向から見たときに、前記固定接点と可動接点の接触位置を囲うように構成されており、
前記水平張出部は、限流開極状態のときにあっても、前記可動接触子の可動接点よりも上方に設けられていることを特徴とする回路遮断器。
【請求項２】
前記第一または第二の固定接触子の各固定接点を囲うように配置された磁性体を有することを特徴とする請求項１に記載の回路遮断器。
【発明の詳細な説明】
【技術分野】
【０００１】
本発明は、配線用遮断器や漏電遮断器などを対象とした、２接点対（以下、「フオーク型」ともいう）の固定接触子と対向する橋絡部を有する可動接触子を備えた回路遮断器に関する。
【背景技術】
【０００２】
この種の回路遮断器としては、例えば特許文献１に記載の技術が知られている。同文献記載同様の例を図１１、図１２および図１３に示す。
図１１および図１２に示すように、この回路遮断器の遮断部１００は、第一の固定接触子１０１、第二の固定接触子２、および可動接触子３を備えている。第一の固定接触子１０１は、電源端子に接続される端子部１１２と、この端子部１１２の電流路上に設けられる固定接点１１とを有し、第二の固定接触子２は、負荷側に接続される端子部２２と、この端子部２２の電流路上に設けられる固定接点２１とを有する。そして、可動接触子３は、前記二つの固定接触子１０１，２を橋絡する橋絡部３２を有する。
【０００３】
さらに、この遮断部１００は消弧装置６を備えている。この消弧装置６は、左右に離隔された保持板４と、この保持板４に、電源側および負荷側の接点に対応して、それぞれ所定の隙間を介して上下方向に積層された複数枚のグリッド板５とを有しており、この消弧装置６が、上述の固定接触子１０１，２および可動接触子３，３に臨んで配置されることで遮断部１００を構成している。
【０００４】
そして、図１３に示すように、上述した構成の遮断部１００が絶縁材のケース７と絶縁材のカバー８とからなる筐体９内に収納されており、可動接触子３を回動させることにより、電源側の回路と負荷側の回路を接続あるいは遮断するとともに、図１２に示すように、上記消弧装置６によって、短絡電流の遮断時に固定接点１１，２１および可動接点３１，３１間に発生したアークＡを素早く消弧させて短絡電流を限流遮断するようになっている。なお、開極動作が進むと可動接触子３の橋絡部３２はストッパ面５０に当接して開極位置が規制されるようになっている。
【０００５】
以下、本発明の理解に必要な構成についてより詳しく説明する。
上記橋絡部３２は、板部材が略コ字状に折り曲げられることで先端が２つに分岐しており、その２つに分岐された各先端部且つ固定接点１１，２１と対向する側の面に、固定接点１１，２１にそれぞれ投入状態で当接するように可動接点３１，３１が固着されている。そして、橋絡部３２は、その中心部がアーム３３の先端側に連結されている。このアーム３３は、自身軸回りに橋絡部３２を回動自在に支持している。また、このアーム３３の基端側は、支軸部３４によって回動軸３５まわりに回動可能に支持されている。これにより、可動接触子３は、その橋絡部３２が支軸部３４を中心とした回動並びにアーム３３軸まわりの揺動がそれぞれ可能になっている。
【０００６】
ここで、上記二つの固定接触子１０１，２は、各固定接点１１，２１に対し、これに連続する電源側の第一の固定接触子１０１の端子部１１２については、その電流路が、板材が上下方向にＵ字状に折り曲げられており（図１１，図１２に示す「Ｕ部」参照）、そのうちの可動接触子３側を向く最上部の面に固定接点１１が設けられている。これに対し、負荷側の第二の固定接触子２の端子部２２の電流路は、第一の固定接触子１０１のようなＵ字状の折り曲げ部を形成することなしに、板材が略直線状に延長されており、その板材の可動接触子３側を向く面に固定接点２１が設けられている。
【０００７】
次に、この回路遮断器の動作を説明する。
電流通電時においては、図１１に示すように、可動接触子３は、不図示の開閉機構の閉極操作により投入駆動され、２対の固定接点１１，２１とこれに対向する可動接点３１，３１が互いに接触し、これにより、電源側の第一の固定接触子１０１の端子部１１２から、その固定接点１１、電源側の可動接点３１、橋絡部３２、負荷側の可動接点３１、負荷側の固定接点２１、第二の固定接触子２の端子部２２の順に電流が流れる。
【０００８】
一方、高電流遮断時においては、図１２に示すように、可動接触子３が開極動作により、その可動接点３１，３１が固定接点１１，２１から離れる。ここで、この電流遮断過程において、電流経路は、電源側の第一の固定接触子１０１の端子部１１２から、電源側の固定接点１１、電源側の可動接点３１、橋絡部３２、負荷側の可動接点３１、負荷側の固定接点２１、第二の固定接触子２の端子部２２の順に電流が流れるため、橋絡部３２には電磁反発力が発生し、上方に限流開極する。
【０００９】
このとき、電源側の固定接点１１と電源側の可動接点３１、および負荷側の固定接点２１と負荷側の可動接点３１の間にはアークＡがそれぞれ発生する。そして、可動接触子３の開極動作が更に進むと、固定接点１１，２１と可動接点３１，３１間の対向距離が大きくなり、それに伴って電源側および負荷側のアークＡがそれぞれ伸長するとともに、電磁力を受けて消弧装置６の側にアークＡが引き伸ばされ、さらに、複数枚のグリッド板５により分断され、これにより、その電極降下によってアーク電圧が急速に高まるとともに、複数枚のグリッド板５の冷却効果も加わって電源側および負荷側のアークＡが消滅し、電流が限流遮断される。
【先行技術文献】
【特許文献】
【００１０】
【特許文献１】特開平１１−２７３５３６号公報
【発明の概要】
【発明が解決しようとする課題】
【００１１】
しかしながら、この種の回路遮断器においては、上述したように、二つの固定接触子１０１，２は、電源側の固定接点１１については、その端子部１１２の電流路が、Ｕ字状に折り曲げられており、端子部１１２の可動接触子３側を向く最上面に設けられるのに対し、負荷側の固定接点２１については、端子部２２に折り曲げ部を形成することなく（なお、段部は形成されている）負荷側端部まで直線状に延長されており、そのような板材の可動接触子３側を向く面に設けられているので、相互の電磁反発力に差異が生じていた。
【００１２】
つまり、このような従来の構成であると、Ｕ字状に折り曲げられた第一の固定接触子１０１は、可動接触子３の橋絡部３２の一方と対向するのは、Ｕ字状に折り曲げられた端子部１１２の一方の面のみなので、２つに分岐された橋絡部３２のうち電源側は、固定接点１１が接合されていないもう一方の導体（端子部１１２の裏面に位置する側）に流れる電流によって電磁反発力が軽減されることになる。
これに対し、負荷側の固定接点２１は、第二の固定接触子２の端子部２２が負荷側端子部まで直線状に延長され、これに負荷側の橋絡部３２が対向配置されているので、電源側に比べて発生する電磁反発力が軽減されることがない。よって、２つに分岐された橋絡部３２の左右は異なった大きさの電磁反発力を受けることになるのである。
【００１３】
このため、軸まわりに揺動可能に構成されている橋絡部３２は斜めに傾いた状態で開極動作が行なわれる。そして、更に開極動作が進むと橋絡部３２は斜めに傾いた状態のまま上記ストッパ面５０（図１３参照）に当接する。すると、このときの衝撃で橋絡部３２は首振り動作をする。すなわち、電磁反発力が大きい負荷側の橋絡部３２が先にストッパ面５０に当接し、その衝撃を受けて電源側の橋絡部３２がストッパ面５０に当接し、さらに、その衝撃を受けて負荷側の橋絡部３２がストッパ面５０から離れるという動作が繰り返される（首振りをする）。
【００１４】
特に、大電流遮断時には、可動接点３１，３１はアークＡに曝されることになり、固着面が融点近傍の高温にまで上昇する。このような状況で、前述したような限流開極時のストッパ面５０との当接位置で可動接触子３の橋絡部３２が当接することにより、その衝撃による反力で橋絡部３２の首振り挙動が生じると、先にストッパ面５０に当接する負荷側の橋絡部３２に固着された可動接点３１に脱落のおそれが生じるという問題がある。
そこで、本発明は、このような問題点に着目してなされたものであって、２接点対（フオーク型）の回路遮断器において、限流開極時に、可動接触子の橋絡部の電源側と負荷側に作用する電磁反発力を均等化し、橋絡部の水平姿勢を維持した限流開極動作が可能な回路遮断器を提供することを目的としている。
【課題を解決するための手段】
【００１５】
上記課題を解決するために、本発明は、第一の固定接触子、第二の固定接触子、および可動接触子並びに消弧装置を備え、前記消弧装置は、保持板と、該保持板に隙間を介して積層される複数枚のグリッド板とを有し、該消弧装置が、前記二つの固定接触子および可動接触子それぞれに臨んで配置されて遮断部を構成し、該遮断部が絶縁材からなる筐体に収納され、前記可動接触子の回動動作によって電源側の回路と負荷側の回路を接続あるいは遮断する回路遮断器において、
前記第一の固定接触子は、電源端子に接続される端子部と、該端子部の電流路上に設けられる固定接点とを有し、前記第二の固定接触子は、負荷側に接続される端子部と、該端子部の電流路上に設けられる固定接点とを有し、前記可動接触子は、前記二つの固定接触子の固定接点を橋絡するように回動される橋絡部を有する２接点対の回路遮断器であって、
前記第一の固定接触子は、その端子部の電流路が、前記可動接触子が閉成状態から回動することによって前記可動接点が前記固定接点から開離する方向を上方とするときに、開極時に生じる前記２接点対相互の電磁反発力の差異を抑制するように、前記可動接触子の閉成時の固定接点の装着位置よりも上方に設けられており、前記第一の固定接触子は、その端子部の電流路が、前記電源端子から垂直上方に張り出した第一垂直張出部と、該第一垂直張出部に連続して形成されて前記電源端子の高さよりも高い高さで水平方向に張り出した水平張出部と、該水平張出部に連続して形成されて垂直下方向に向けて張り出した第二垂直張出部とを前記第二の固定接触子とは反対の側に有し、これら第一垂直張出部、水平張出部および第二垂直張出部によって、前記可動接触子の回動軸方向から見たときに、前記固定接点と可動接点の接触位置を囲うように構成されており、前記水平張出部は、限流開極状態のときにあっても、前記可動接触子の可動接点よりも上方に設けられていることを特徴としている。
【００１６】
本発明に係る回路遮断器によれば、第一の固定接触子は、その端子部の電流路が、前記可動接触子が閉成状態から回動することによって前記可動接点が前記固定接点から開離する方向を上方とするときに、前記可動接触子の閉成時の固定接点の装着位置よりも上方に設けられているので、各固定接触子の端子部の電流路が、前記可動接触子の閉成時の位置より上方に設けられるため、相互の電磁反発力に差異が生じない。
【００１７】
このため、橋絡部は傾いた状態とならずに開極動作を行い、更にその状態のままストッパ面に均等に当接させることができる。よって、このときの衝撃による橋絡部の首振り動作も抑制または防止される。特に、大電流遮断時には、可動接点がアークに曝された状況であっても、橋絡部の首振り挙動が抑制または防止されるので、先にストッパ面に当接する負荷側の橋絡部に固着された可動接点に脱落のおそれが生じることもない。
【００１９】
そして、本発明に係る回路遮断器によれば、前記第一の固定接触子は、その端子部の電流路が、前記電源端子から垂直上方に張り出した第一垂直張出部と、該第一垂直張出部に連続して形成されて前記電源端子の高さよりも高い高さで水平方向に張り出した水平張出部と、該水平張出部に連続して形成されて垂直下方向に向けて張り出した第二垂直張出部とを前記第二の固定接触子とは反対の側に有し、これら第一垂直張出部、水平張出部および第二垂直張出部によって、前記可動接触子の回動軸方向から見たときに、前記固定接点と可動接点の接触位置を囲うように構成されており、前記水平張出部は、限流開極状態のときにあっても、前記可動接触子の可動接点よりも上方に設けられているので、可動接触子の橋絡部の二つの可動接点相互の電磁反発力の差異を抑制する上で好適である。
さらに、本発明に係る回路遮断器において、前記第一または第二の固定接触子の各固定接点を囲うように配置された磁性体を有するように構成されていれば、可動接触子の橋絡部の二つの可動接点相互の電磁反発力の差異を抑制する上でより好適である。
【発明の効果】
【００２０】
上述のように、本発明によれば、２接点対（フオーク型）の回路遮断器において、限流開極時に、可動接触子の橋絡部の電源側と負荷側に作用する電磁反発力を均等化し、橋絡部の水平姿勢を維持した限流開極動作をさせることができる。
【図面の簡単な説明】
【００２１】
【図１】本発明に係る回路遮断器の第一実施形態であって、同図は、投入状態の遮断部を斜視図にて示している。
【図２】第一実施形態における限流開極状態の遮断部を示す斜視図である。
【図３】第一実施形態における限流開極状態の遮断部組立て状態の斜視図であり、同図において符号４０は、電源側と負荷側の遮断部を隔てるための隔壁である。
【図４】第一実施形態における限流開極状態の遮断部組立て状態を示す斜視図であり同図では、保持板および磁気ヨークの絶縁カバー等を省略している。
【図５】第一実施形態における遮断部を示す分解斜視図である。
【図６】本発明に係る回路遮断器の第二実施形態であって、同図は、投入状態の遮断部を斜視図にて示している。
【図７】第二実施形態における限流開極状態の遮断部を示す斜視図である。
【図８】第二実施形態における限流開極状態の遮断部組立て状態の斜視図であり、同図（ａ）は、電源側導体より見る図、（ｂ）は、負荷側導体より見る図である。
【図９】第二実施形態における限流開極状態を示す遮断部組立て状態の斜視図であり同図では、保持板、磁気ヨークおよびその絶縁カバー等を省略しており、同図（ａ）は、電源側導体より見る図、（ｂ）は、負荷側導体より見る図である。
【図１０】第二実施形態における遮断部を示す分解斜視図であり、同図（ａ）は、電源側の遮断部を構成する部品の図、（ｂ）は、負荷側の遮断部を構成する部品の図である。
【図１１】従来の回路遮断器での投入状態の遮断部を示す斜視図である。
【図１２】従来の回路遮断器での限流開極状態の遮断部を示す斜視図である。
【図１３】従来の回路遮断器での投入状態を示す正面図である。
【発明を実施するための形態】
【００２２】
以下、本発明の一実施形態について、図１〜図５を適宜参照しつつ説明する。なお、上記図１１〜図１３を参照して説明した従来の例と同様の構成については、同一の符号を付すとともに、その図示および説明は適宜省略する。
図１および図２に示すように、この回路遮断器の遮断部１０は、電源端子に接続されるとともに固定接点１１をもつ第一の固定接触子１と、負荷側に接続されるとともに固定接点２１をもつ第二の固定接触子２と、これら二つの固定接触子１，２を橋絡する可動接触子３とを有する。
【００２３】
また、この遮断部１０は、上記従来例同様に、消弧装置６を備えている。この消弧装置６は、保持板４と、この保持板４に、所定の隙間を介して積層された複数枚のグリッド板５とを有しており、この消弧装置６が、上述の固定接触子１，２および可動接触子３，３に臨んで配置されている。
可動接触子３は、上記従来例同様に、橋絡部３２が支軸部３４の回動軸３５を中心とした回動並びにアーム３３軸まわりの揺動が可能に構成されている。そして、橋絡部３２が略コ字状に折り曲げられて２つに分岐しており、その２つに分岐された橋絡部３２の各先端部且つ固定接点１１，２１と対向する側の面に、固定接点１１，２１にそれぞれ投入状態で当接するように可動接点３１，３１が固着されている。
【００２４】
そして、上述した遮断部１０が、従来の例と同様に（図１３参照）、絶縁材のケースとカバーからなる筐体（不図示）に収納されており、可動接触子３を回動させることにより、電源側の回路と負荷側の回路を接続あるいは遮断するとともに、上記消弧装置６によって、短絡電流の遮断時に固定接点１１，２１および可動接点３１，３１間に発生したアークＡを素早く消弧させて短絡電流を限流遮断するようになっている。
ここで、本実施形態の遮断部１０は、第一の固定接触子１の端子部１２の電流路が、可動接触子３が閉成状態から回動することによって可動接点３１が固定接点１１から開離する方向を上方とするときに、可動接触子３の閉成時の固定接点の装着位置Ｇ（図１３参照）よりも上方に設けられている。
【００２５】
詳しくは、二つの固定接触子１，２のうち、第二の固定接触子２の電流路は従来同様であるが、電源側の第一の固定接触子１については、上記従来の例とは異なり、上下方向にＵ字状に折り曲げられていない。具体的には、第一の固定接触子１は、その端子部１２の電流路が、電源端子１３の高さを含む高さで水平方向に張り出した水平張出部１４と、この水平張出部１４に連続して形成されて垂直下方向に張り出した垂直張出部１６とを有し、これら水平張出部１４および垂直張出部１６によって、可動接触子３の回動軸３５の軸方向から見たときに、前記固定接点１１，２１と可動接点３１の接触位置を囲うように構成されている。ここで、「固定接点１１，２１と可動接点３１の接触位置を囲う」とは、図２に示すように、可動接触子３の回動軸３５の軸方向から見たときに、略直方体形状の固定接点１１，２１に対して、水平方向において零を超える離隔寸法Ｄと、垂直方向において零を超える離隔寸法Ｈとを有するように水平張出部１４および垂直張出部１６によって囲繞することをいう。なお、電源側の第一の固定接触子１の水平張出部１４の上面の高さは、可動接触子３の投入状態においては、可動接触子３の橋絡部３２の上面の高さよりも上方に位置している。
【００２６】
そして、上述の構成の遮断部１０を組み立てた状態を示す図が図３および図４であり、また、この遮断部１０を組み立てる際に組み込まれる磁気ヨーク４２およびその絶縁カバー４４を示す図が図５である。
図３〜５に示すように、この遮断部１０を組み立てた状態では、電源側と負荷側の遮断部を隔てるための隔壁４０が第一の固定接触子１と第二の固定接触子２との間に設けられる。さらに、第一の固定接触子１に対して、固定接点１１を囲うように配置された磁性体として、その固定接点１１の左右から絶縁カバー４４を介してコ字状に折り曲げられた磁気ヨーク４２を第一の固定接触子１の下面側から嵌め込むようにして臨ませている。
【００２７】
次に、この回路遮断器の動作および作用・効果について説明する。
図１において、電流通電時においては、可動接触子３は、不図示の開閉機構の閉極操作により投入駆動され、２対の固定接点１１，２１およびこれに対向する可動接点３１，３１が接触し、電源側の第一の固定接触子１の端子部１２から、その固定接点１１、電源側の可動接点３１、橋絡部３２、負荷側の可動接点３１、負荷側の固定接点２１、第二の固定接触子２の端子部２２の順に電流が流れる。
【００２８】
一方、高電流遮断時においては、図２に示すように、可動接触子３の開極動作により、可動接点３１，３１が、固定接点１１，２１から離れる。電流遮断過程において、電流経路は、電源側の第一の固定接触子１の端子部１２から、電源側の固定接点１１、電源側の可動接点３１、橋絡部３２、負荷側の可動接点３１、負荷側の固定接点２１、第二の固定接触子２の端子部２２の順に電流が流れるため、橋絡部３２には電磁反発力が発生し、上方に限流開極する。
【００２９】
このとき、図２に示すように、電源側の固定接点２１と電源側の可動接点３１、および負荷側の固定接点１１と負荷側の可動接点３１の間にはアークＡがそれぞれ発生する。そして、可動接触子３の開極動作が更に進むと、固定接点１１，２１と可動接点３１，３１間の距離が大きくなり、それに伴って電源側および負荷側のアークＡがそれぞれ伸長するとともに、電磁力を受けて消弧装置６の側に引き伸ばされ、複数枚のグリッド板５（不図示の負荷側アークＡも同様）により分断され、これにより、その電極降下によってアーク電圧が急速に高まるとともに、複数枚のグリッド板５の冷却効果も加わって電源側および負荷側のアークＡが消滅し、電流が限流遮断される。
【００３０】
ここで、この回路遮断器１０によれば、第一の固定接触子１の端子部１２の電流路が、可動接触子３が閉成状態から回動することによって可動接点３１が固定接点１１から開離する方向を上方とするときに、可動接触子３の閉成時の固定接点装着位置Ｇ（図１３参照）よりも上方に設けられているので、橋絡部３２には左右相互の電磁反発力に差異が生じない。
【００３１】
そのため、アーム３３の軸まわりに揺動可能に構成されている橋絡部３２が傾いた状態とならずに開極動作を行い、更にその状態のままストッパ面５０（図１３参照）に均等に当接する。よって、このときの衝撃で橋絡部３２は首振り動作も抑制または防止される。
特に、大電流遮断時には、可動接点３１，３１がアークＡに曝された状況であっても、橋絡部３２の首振り挙動が抑制または防止されるので、先にストッパ位置に当接する負荷側の橋絡部３２に固着された可動接点３１に脱落のおそれが生じることもない。
【００３２】
すなわち、この回路遮断器１０によれば、橋絡部３２の両可動接点３１，３１に発生する電磁反発力がより均等化することになり、橋絡部３２が斜めに傾くようなこともなく限流開極動作をする。したがって、限流開極時のストッパ面５０へ当接した衝撃の反力により橋絡部３２の首振り動作をすることを抑制できる。また、限流開極時に、電源側の固定接点１１と可動接点３１との間に発生したアークＡは、電源側の固定接触子１を流れる電流による磁束の作用により消弧装置６へ向けて付勢されることになり、遮断性能を一層改善することができる。
【００３３】
また、この回路遮断器１０によれば、第一の固定接触子１は、その端子部１２の電流路が、電源端子１３の高さを含む高さで水平方向に張り出した水平張出部１４と、この水平張出部１４に連続して形成されて垂直下方向に張り出した垂直張出部１６とを有し、これら水平張出部１４および垂直張出部１６によって、可動接触子３の回動軸３５の軸方向から見たときに、前記固定接点１１，２１と可動接点３１の接触位置を囲うように構成されているので、第一の固定接触子１の端子部の電流路をＵ字状に折り曲げたときのように、電源側の可動接触子３に発生する電磁反発力を軽減させない構成として好適である。
【００３４】
特に、本実施形態の例では、第一の固定接触子１に対して、固定接点１１を囲うように配置された磁性体として、その固定接点１１の左右から絶縁カバー４４を介してコ字状に折り曲げられた磁気ヨーク４２を臨ませているので、可動接触子３の開極速度を高めることができるとともに、アークの消弧装置６への駆動力を高めることができる。また、可動接触子３の橋絡部３２の二つの可動接点３１相互の電磁反発力の差異を抑制する上でより好適である。
【００３５】
以上説明したように、この回路遮断器１０によれば、高電流遮断においても接点の脱落を抑えた遮断が可能となる。また、本発明により消弧装置６へのアークＡの駆動力が増大することが可能となり、更なる遮断性能の向上も可能となる。
なお、本発明に係る回路遮断器は、上記実施形態に限定されるものではなく、本発明の趣旨を逸脱しなければ種々の変形が可能である。
【００３６】
例えば、次に第二の実施形態について図６〜図１０を適宜参照して説明する。なお、この第二の実施形態では、上記第一の実施形態に対し、第一の固定接触子１の形状、および第二の固定接触子２に対しても、その固定接点２１を囲うように配置された磁性体が配置されている点が異なる他は同様の構成であるので、異なる点について説明し、その他の説明についてはこれを省略する。
図６に示すように、この第二の実施形態では、電源側の第一の固定接触子１を電源端子１３の高さより更に上方に這わせており、電源側の固定接点１１と電源側の可動接点３１の接触位置を囲うような構成をしている。
【００３７】
詳しくは、この第一の固定接触子は、その端子部の電流路が、前記電源端子から垂直上方に張り出した第一垂直張出部１７と、この第一垂直張出部１７に連続して形成されて電源端子１３の高さよりも高い高さで水平方向に張り出した水平張出部１８と、この水平張出部１８に連続して形成されて垂直下方向に向けて張り出した第二垂直張出部１９とを有し、これら第一垂直張出部１７、水平張出部１８および第二垂直張出部１９によって、可動接触子３の回動軸３５方向から見たときに、上記第一実施形態同様に、固定接点２１，１１と可動接点３１，３１の接触位置を囲うように構成されている。
【００３８】
そして、このような構成の第二実施形態の遮断部１０を組み立てた状態を示す図が図８および図９であり、また、この遮断部１０を組み立てる際に組み込まれる磁気ヨーク４２およびその絶縁カバー４４を示す図が図１０である。
図８〜１０に示すように、この遮断部１０を組み立てた状態では、上記第一の実施形態同様に、電源側と負荷側の遮断部を隔てるための隔壁４０が第一の固定接触子１と第二の固定接触子２との間に設けられる。さらに、この第二実施形態では、第一の固定接触子１に加えて、第二の固定接触子２についても、その固定接点２１を囲うように配置された磁性体として、その固定接点２１の左右から絶縁カバー４４を介してコ字状に折り曲げられた磁気ヨーク４２を第二の固定接触子２の下面側から嵌め込むようにして臨ませている。
【００３９】
この第二の実施形態のような構成であっても、電源側の第一の固定接触子１の端子部１２が、投入状態において、電源側の可動接触子３の橋絡部３２の高さよりも十分上方にあるため、Ｕ字状に折り曲げたときのように電源側の可動接触子３に発生する電磁反発力を軽減することがない。したがって、上記第一実施形態同様の作用効果を奏する。
これに加えて、この第二の実施形態のような構成であれば、限流開極時に電源側の固定接点１１と電源側の可動接点３１の間に発生したアークＡは、電源側の固定接触子１を流れる電流による磁束の作用が更に大きくなるため、消弧装置５へ向かう付勢力が一層増大する。したがって、端子部１２が橋絡部３２の高さよりも十分上方にあれば、さらなる遮断性能の改善を図ることが可能となる。
【００４０】
さらに、本実施形態の例では、第一および第二の固定接触子１，２に対して、固定接点１１，２１をそれぞれ囲うように配置された磁性体として、その固定接点１１，２１の左右から絶縁カバー４４を介してコ字状に折り曲げられた磁気ヨーク４２を臨ませているので、可動接触子３の開極速度を高めることができるとともに、アークの消弧装置６への駆動力を高めることができる。また、第一の固定接触子１のみに磁性体を配置するようにすれば、可動接触子３の橋絡部３２の二つの可動接点３１，３１相互の電磁反発力の差異を抑制する上で一層好適である。
【符号の説明】
【００４１】
１    第一の固定接触子
２    第二の固定接触子
３    可動接触子
４    保持板
５    グリッド板
６    消弧装置
７    ケース
８    カバー
９    筐体
１０    遮断部
１１    （第一の固定接触子の）固定接点
１２    （第一の固定接触子の）端子部
１３    電源端子
１４    水平張出部
１６    垂直張出部
１７    第一垂直張出部
１８    水平張出部
１９    第二垂直張出部
２１    （第二の固定接触子の）固定接点
２２    （第二の固定接触子の）端子部
３１    可動接点
３２    橋絡部
３３    アーム
３４    支軸部
３５    回動軸
４０    隔壁
４２    磁気ヨーク
４４    絶縁カバー
【図１】
0005488353.tif 000002
【図２】
0005488353.tif 000003
【図３】
0005488353.tif 000004
【図４】
0005488353.tif 000005
【図５】
0005488353.tif 000006
【図６】
0005488353.tif 000007
【図７】
0005488353.tif 000008
【図８】
0005488353.tif 000009
【図９】
0005488353.tif 000010
【図１０】
0005488353.tif 000011
【図１１】
0005488353.tif 000012
【図１２】
0005488353.tif 000013
【図１３】
0005488353.tif 000014